(57)【要約】【課題】入力検出手段に対する接触または近接による操作を片手で行いやすくするとともに、表示手段に表示された情報が汚れによって見にくくならず、意図しない入力操作が認識されてしまうことを回避する。【解決手段】筐体の前面に設けられ、情報を表示する表示部１と、筐体の側面に設けられ、接触または近接を検出する入力検出部２と、入力検出部２に対する接触または近接による入力操作を認識し、その入力操作に応じて表示部１における表示を制御する制御部３とを有する。【選択図】図１
2013228786.tif 000002
【特許請求の範囲】
【請求項１】
筐体の前面に設けられ、情報を表示する表示手段と、
前記筐体の側面に設けられ、接触または近接を検出する入力検出手段と、
前記入力検出手段に対する接触または近接による入力操作を認識し、当該入力操作に応じて前記表示手段における表示を制御する制御手段とを有する情報端末。
【請求項２】
請求項１に記載の情報端末において、
前記入力検出手段を複数有する情報端末。
【請求項３】
請求項２に記載の情報端末において、
前記制御手段は、前記複数の入力検出手段のうち１つの入力検出手段に対する接触または近接による入力操作に応じて前記表示手段における表示を制御している状態では、他の入力検出手段にて接触または近接が検出された場合でも、当該接触または近接による入力操作に応じた表示の制御を行わない情報端末。
【請求項４】
請求項２または請求項３に記載の情報端末において、
前記制御手段は、前記複数の入力検出手段毎に、前記入力操作に応じた前記表示手段における表示が互いに異なるように制御する情報端末。
【請求項５】
請求項１乃至４のいずれか１項に記載の情報端末において、
前記筐体は、操作者が片手で把持可能な形状を有し、
前記入力検出手段は、前記筐体の側面のうち、該筐体を把持した手の親指、人差し指または中指の少なくともいずれかが接触または近接可能な位置に設けられている情報端末。
【請求項６】
筐体の側面に設けられた入力検出手段にて接触または近接を検出する入力検出処理と、
前記入力検出処理にて検出された接触または近接による入力操作を認識し、当該入力操作に応じて、前記筐体の前面に設けられた表示手段における表示を制御する表示制御処理とを有する情報表示方法。
【請求項７】
コンピュータに、
筐体の側面に設けられた入力検出手段にて接触または近接を検出する入力検出手順と、
前記入力検出手順にて検出された接触または近接による入力操作を認識し、当該入力操作に応じて、前記筐体の前面に設けられた表示手段における表示を制御する表示制御手順とを実行させるためのプログラム。
【発明の詳細な説明】
【技術分野】
【０００１】
本発明は、接触または近接による入力操作に応じた表示が行われる情報端末及び情報表示方法に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであった。しかし、近年では、一般のパーソナルコンピュータと同様に、電子メールを送信したり、インターネットに接続したりすることができるようになっている。
【０００３】
このような携帯電話機の市場では、近年、スマートフォンが急速に普及している。スマートフォンは、キーパッドを有さず、表示画面上に接触を検出するタッチパッドを有し、タッチパッドにて接触を検出すると、その検出した位置と同じ表示画面上の場所の選択や操作が可能となる。そして、このようなタッチパッドを有する情報端末は、スマートフォンに限らず、携帯ゲーム機等にも採用されており、表示画面上のアプリケーション用アイコンやブラウザのリンク、文字入力用のキーの選択や、表示画面のスクロールや拡大／縮小を直感的に分かりやすく、簡単に操作することができる。
【０００４】
ここで、タッチパッドを情報端末装置の背面側にも設け、直感的な入力を可能とする技術が、例えば特許文献１に開示されている。特許文献１に開示された技術においては、情報端末装置の前面にモニタとタッチパッドを設けるとともに、情報端末装置の背面にタッチパッドを設け、これら２つのタッチパッドを指で挟むようにして情報を入力することにより、直感的な操作が可能となる。
【先行技術文献】
【特許文献】
【０００５】
【特許文献１】特開２０１１−７０６０９号公報
【発明の概要】
【発明が解決しようとする課題】
【０００６】
上述したようなタッチパッドを用いた情報端末においては、表示画面に表示された情報に対して直接操作を行うことになるため直感的な操作が可能となるものの、情報端末を把持した片手のみでの操作は難しく、特に、画面のスクロールや拡大／縮小操作等は両手を使わないと操作が難しい。
【０００７】
また、表示画面上のタッチパッドに接触することによって画面のスクロールや拡大／縮小操作を行うことになるため、タッチパッドが指紋等で汚れ、表示画面が見にくくなってしまい、また、スクロールや拡大／縮小操作を行う際に、タッチパッドに接触した領域によっては、その領域に表示された情報の選択や操作が行われたと判断され、意図しないリンクに飛んでしまう等の誤操作が起こる虞れがある。
【０００８】
本発明は、上述したような技術が有する問題点に鑑みてなされたものであって、入力検出手段に対する接触または近接による操作を片手で行いやすくするとともに、表示手段に表示された情報が汚れによって見にくくならず、意図しない入力操作が認識されてしまうことを回避できる情報端末、情報表示方法及びプログラムを提供することを目的とする。
【課題を解決するための手段】
【０００９】
上記目的を達成するために本発明は、
筐体の前面に設けられ、情報を表示する表示手段と、
前記筐体の側面に設けられ、接触または近接を検出する入力検出手段と、
前記入力検出手段に対する接触または近接による入力操作を認識し、当該入力操作に応じて前記表示手段における表示を制御する制御手段とを有する。
【００１０】
また、筐体の側面に設けられた入力検出手段にて接触または近接を検出する入力検出処理と、
前記入力検出処理にて検出された接触または近接による入力操作を認識し、当該入力操作に応じて、前記筐体の前面に設けられた表示手段における表示を制御する表示制御処理とを有する。
【００１１】
また、コンピュータに実行させるためのプログラムであって、
筐体の側面に設けられた入力検出手段にて接触または近接を検出する入力検出手順と、
前記入力検出手順にて検出された接触または近接による入力操作を認識し、当該入力操作に応じて、前記筐体の前面に設けられた表示手段における表示を制御する表示制御手順とを実行させる。
【発明の効果】
【００１２】
本発明によれば、入力検出手段に対する接触または近接による操作が片手で行いやすくなるとともに、表示手段に表示された情報が汚れによって見にくくならず、意図しない入力操作が認識されてしまうことを回避できる。
【図面の簡単な説明】
【００１３】
【図１】本発明の情報端末の概要を示す図である。
【図２】図１に示した情報端末の実施の一形態となる携帯端末を示す図であり、（ａ）は正面から見た外観図、（ｂ）は外観斜視図、（ｃ）は機能ブロック図である。
【図３】図２に示した携帯端末の動作の一例を説明するためのフローチャートである。
【図４】図２に示した携帯端末の使用状態を示す図である。
【図５】図２に示した携帯端末の動作の他の例を説明するためのフローチャートである。
【図６】図１に示した情報端末の他の実施の形態となる携帯端末を示す図である。
【図７】図１に示した情報端末の他の実施の形態となる携帯端末を示す図である。
【発明を実施するための形態】
【００１４】
以下に、本発明の実施の形態について図面を参照して説明する。
【００１５】
図１は、本発明の情報端末の概要を示す図である。
【００１６】
本発明の情報端末は図１に示すように、表示手段となる表示部１と、入力検出手段となる入力検出部２と、制御手段となる制御部３とから構成されている。
【００１７】
上記のように構成された情報端末においては、表示部１が情報端末の筐体の前面に設けられ、入力検出部２が情報端末の筐体の側面に設けられている。そして、入力検出部２が接触または近接を検出すると、制御部３が、入力検出部２に対する接触または近接による入力操作を認識し、認識した入力操作に応じて表示部１における表示を制御する。
【００１８】
以下に、上記のように構成された情報端末について具体的な例を挙げて説明する。
【００１９】
図２は、図１に示した情報端末の実施の一形態となる携帯端末を示す図であり、（ａ）は正面から見た外観図、（ｂ）は外観斜視図、（ｃ）は機能ブロック図である。
【００２０】
本形態は図２に示すように、筐体４０の前面にタッチパネル５０が設けられるとともに、筐体４０の両側面に入力検出部２となるタッチパッド２１ａ，２１ｂが設けられて構成されている。タッチパネル５０は、表示部１となる表示ユニット１０上にタッチパッド２０が重ね合わされて構成されている。
【００２１】
筐体４０は、例えば、フロントカバーとリアカバーとがその周囲にて嵌合されて構成されている。
【００２２】
タッチパッド２０，２１ａ，２１ｂは、その表面に導電膜（不図示）を有し、位置検出部２２，２３ａ，２３ｂにおいて、この導電膜と指等との間の静電容量の変化によって、指等が接触または近接した位置を検出する。また、指等が接触した位置を検出するものであれば、上述した静電容量を用いたもの以外にも、２枚の導電膜が指等によって押されて互いに接触した際の抵抗値を検出することでその位置を検出する抵抗膜方式によるものであってもよい。
【００２３】
表示ユニット１０は、液晶や有機ＥＬ等から構成され、タッチパネル５０に対する接触または近接による入力操作を行うために表示を行う情報表示部１１を有する。また、情報表示部１１は、タッチパッド２１ａ，２１ｂに対する接触または近接による入力操作に応じて情報をスクロール表示したり、拡大／縮小表示したりする。
【００２４】
筐体４０の内部には、図１に示した制御部３となるコントロールユニット３０が内蔵されている。コントロールユニット３０は、位置認識部３１と、操作認識部３２と、表示制御部３３と、動作制御部３４とを有している。位置認識部３１は、位置検出部２２，２３ａ，２３ｂにて検出された位置を認識する。操作認識部３２は、位置認識部３１にて認識された位置の軌跡に基づいて、タッチパッド２０，２１ａ，２１ｂに対する接触または近接による入力操作を認識する。表示制御部３３は、操作認識部３２にて認識された入力操作に応じて情報表示部１１における表示を制御する。動作制御部３４は、操作認識部３２にて認識された入力操作に応じてこの携帯端末の動作を制御する。なお、コントロールユニット３０には、これらの他に、通信を司る通信部や、音声出力部、音声入力部等が設けられているが、これらは本発明に直接関係しないものであるため、説明は省略する。
【００２５】
以下に、上記のように構成された携帯端末の使用方法及びその使用方法による動作について説明する。なお、以下の説明においては、タッチパッド２１ａ，２１ｂに指を接触させることによって入力操作を行う場合を例に挙げるが、上述したように、タッチパッド２１ａ，２１ｂに指を近接させることによって入力操作を行うことも可能である。
【００２６】
図３は、図２に示した携帯端末の動作の一例を説明するためのフローチャートであり、図４は、図２に示した携帯端末の使用状態を示す図である。
【００２７】
図２に示した携帯端末にて表示ユニット１０に情報が表示されている状態において（ステップ１）、位置検出部２３ａ，２３ｂのいずれかがタッチパッド２１ａ，２１ｂに対する接触を検出すると（ステップ２）、まず、コントロールユニット３０が、表示制御部３３の制御によって表示ユニット１０に表示している情報の表示形態を確認する（ステップ３）。なお、ここでは、位置検出部２３ａがタッチパッド２１ａに対する接触を検出したものとする。
【００２８】
表示ユニット１０に表示している情報の表示形態としては、表示ユニット１０に表示すべき情報が一度に表示ユニット１０に表示できずに、表示内容を上下に移動させて表示ユニット１０に順次表示可能とするスクロール可能な形態と、地図や写真のように表示ユニット１０に指定された領域の全てが表示され、拡大／縮小が可能な形態とがある。
【００２９】
ここで、タッチパッド２１ａ，２１ｂに指を接触させる操作は、図４に示すように行われる。
【００３０】
図２に示した携帯端末は、その筐体４０が、操作者が片手で把持可能な形状を有している。そのため、例えば、図４に示すように左手だけで把持することができる。また、タッチパッド２１ａ，２１ｂは、筐体４０の両側面に設けられているが、筐体４０の両側面のうち、筐体４０を把持した手の親指、人差し指または中指の少なくともいずれかが接触または近接可能な位置に設けられている。そのため、図４に示すように、この筐体４０を把持した手６０の親指６１でタッチパッド２１ａに対する接触操作を行うことができ、また、中指６２でタッチパッド２１ｂに対する接触操作を行うことができる。また、携帯端末を右手だけで把持された場合は、手６０の親指６１でタッチパッド２１ｂに対する接触操作が行われ、中指６２でタッチパッド２１ａに対する接触操作が行われることになる。なお、携帯端末を左手、右手だけで把持された場合のいずれの場合であっても、中指６２の代わりに人差し指でタッチパッドに対する接触操作を行って、片手だけで操作することもできる。
【００３１】
表示ユニット１０に表示している情報の表示形態が、スクロール可能な形態である場合、位置認識部３１が、位置検出部２３ａにて検出されたタッチパッド２１ａに対する接触の位置を認識し、その位置の軌跡を認識していく（ステップ４）。そして、位置認識部３１にて認識された位置の軌跡が、タッチパッド２１ａを上から下へなぞるものである場合は、操作認識部３２が、タッチパッド２１ａに対する接触による入力操作を、表示ユニット１０に表示している情報を順方向にスクロール表示するものと認識し、表示制御部３３の制御によって、表示ユニット１０に表示している情報を順方向にスクロール表示する（ステップ５）。なお、表示ユニット１０に表示している情報を順方向にスクロール表示する速さは、タッチパッド２１ａを上から下へなぞる速さによって変えることができる。またこの際、コントロールユニット３０は、タッチパッド２１ｂをロック状態に設定し、位置検出部２３ｂがタッチパッド２１ｂに対する接触を検出した場合であっても、上述した処理を行わない（ステップ６）。これにより、表示ユニット１０に表示している情報を順方向にスクロール表示するためにタッチパッド２１ａに対して接触操作が行われている際に、タッチパッド２１ｂに指等が接触することによる誤動作を防止することができる。
【００３２】
その後、操作認識部３２が、位置認識部３１にて認識されている位置の軌跡によってタッチパッド２１ａに対する接触による入力操作が終了したと判断すると（ステップ７）、表示制御部３３が、表示ユニット１０に表示している情報のスクロール表示を停止する（ステップ８）。またこの際、コントロールユニット３０は、タッチパッド２１ｂのロック状態を解除する（ステップ９）。
【００３３】
また、位置認識部３１にて認識された位置の軌跡が、タッチパッド２１ａを下から上へなぞるものである場合は、操作認識部３２が、タッチパッド２１ａに対する接触による入力操作を、表示ユニット１０に表示している情報を逆方向にスクロール表示するものと認識し、表示制御部３３の制御によって、表示ユニット１０に表示している情報を逆方向にスクロール表示する（ステップ１０）。またこの際も、コントロールユニット３０は、タッチパッド２１ｂをロック状態に設定し、位置検出部２３ｂがタッチパッド２１ｂに対する接触を検出した場合であっても、上述した処理を行わない（ステップ１１）。
【００３４】
その後、操作認識部３２が、位置認識部３１にて認識されている位置の軌跡によってタッチパッド２１ａに対する接触による入力操作が終了したと判断すると（ステップ１２）、表示制御部３３が、表示ユニット１０に表示している情報のスクロール表示を停止する（ステップ１３）。またこの際、コントロールユニット３０は、タッチパッド２１ｂのロック状態を解除する（ステップ１４）。
【００３５】
また、表示ユニット１０に表示している情報の表示形態が、拡大／縮小可能な形態である場合、位置認識部３１が、位置検出部２３ａにて検出されたタッチパッド２１ａに対する接触の位置を認識し、その位置の軌跡を認識していく（ステップ１５）。そして、位置認識部３１にて認識された位置の軌跡が、タッチパッド２１ａを上から下へなぞるものである場合は、操作認識部３２が、タッチパッド２１ａに対する接触による入力操作を、表示ユニット１０に表示している情報を拡大表示するものと認識し、表示制御部３３の制御によって、表示ユニット１０に表示している情報を拡大表示していく（ステップ１６）。またこの際も、コントロールユニット３０は、タッチパッド２１ｂをロック状態に設定し、位置検出部２３ｂがタッチパッド２１ｂに対する接触を検出した場合であっても、上述した処理を行わない（ステップ１７）。
【００３６】
その後、操作認識部３２が、位置認識部３１にて認識されている位置の軌跡によってタッチパッド２１ａに対する接触による入力操作が終了したと判断すると（ステップ１８）、表示制御部３３が、表示ユニット１０に表示している情報を拡大表示していく制御を停止する（ステップ１９）。またこの際、コントロールユニット３０は、タッチパッド２１ｂのロック状態を解除する（ステップ２０）。
【００３７】
また、位置認識部３１にて認識された位置の軌跡が、タッチパッド２１ａを下から上へなぞるものである場合は、操作認識部３２が、タッチパッド２１ａに対する接触による入力操作を、表示ユニット１０に表示している情報を縮小表示するものと認識し、表示制御部３３の制御によって、表示ユニット１０に表示している情報を縮小表示していく（ステップ２１）。またこの際も、コントロールユニット３０は、タッチパッド２１ｂをロック状態に設定し、位置検出部２３ｂがタッチパッド２１ｂに対する接触を検出した場合であっても、上述した処理を行わない（ステップ２２）。
【００３８】
その後、操作認識部３２が、位置認識部３１にて認識されている位置の軌跡によってタッチパッド２１ａに対する接触による入力操作が終了したと判断すると（ステップ２３）、表示制御部３３が、表示ユニット１０に表示している情報を縮小表示していく制御を停止する（ステップ２４）。またこの際、コントロールユニット３０は、タッチパッド２１ｂのロック状態を解除する（ステップ２５）。
【００３９】
このように、携帯端末の筐体４０の側面に設けられたタッチパッド２１ａ，２１ｂに対する接触操作によって、表示ユニット１０に表示している情報がスクロール表示されたり、拡大／縮小表示されたりするので、表示ユニット１０に表示している情報をスクロール表示したり、拡大／縮小表示したりするための操作を、携帯端末を把持している片手で行うことができる。また、表示ユニット１０に表示している情報をスクロール表示したり、拡大／縮小表示したりする際に、表示ユニット１０上に重ね合わされたタッチパッド２０に対する接触操作が不要となり、それにより、タッチパッド２０が指紋等で汚れ、表示ユニット１０に表示された情報が見にくくなってしまうことがなく、また、意図しないリンクに飛んでしまう等の誤操作が起こることがなくなる。
【００４０】
なお、本形態においては、表示ユニット１０に表示している情報の表示形態がスクロール可能な形態であって、位置認識部３１にて認識された位置の軌跡が、タッチパッド２１ａを上から下へなぞるものである場合は、表示ユニット１０に表示している情報を順方向にスクロール表示し、位置認識部３１にて認識された位置の軌跡が、タッチパッド２１ａを下から上へなぞるものである場合は、表示ユニット１０に表示している情報を逆方向にスクロール表示しているが、この向きは適宜設定することができる。同様に、表示ユニット１０に表示している情報の表示形態が拡大／縮小可能な形態であって、位置認識部３１にて認識された位置の軌跡が、タッチパッド２１ａを上から下へなぞるものである場合は、表示ユニット１０に表示している情報を拡大表示し、位置認識部３１にて認識された位置の軌跡が、タッチパッド２１ａを下から上へなぞるものである場合は、表示ユニット１０に表示している情報を縮小表示しているが、タッチパッド２１ａに対する接触操作の向きと拡大／縮小表示の関係も適宜設定することができる。
【００４１】
また、上述したようにタッチパッド２１ａ，２１ｂに対して接触または近接による入力操作を行う際に、予め、タッチパッド２１ａ，２１ｂのいずれか一方に対して接触または近接による入力操作を行う旨を設定し、他方をロック状態としてもよい。
【００４２】
なお、タッチパッド２０に対しては、上述したスクロール表示や拡大／縮小表示のための操作を除いて、表示ユニット１０に表示された情報を指定する等の一般的な接触操作が行われ、コントロールユニット３０の表示制御部３３や動作制御部３４において、その接触操作に応じた制御が行われることになる。
【００４３】
上述した例においては、表示ユニット１０に表示している情報の表示形態に応じて、タッチパッド２１ａ，２１ｂに対する接触または近接による入力操作が、表示ユニット１０に表示している情報をスクロール表示するためのものか、拡大／縮小表示するためのものかを認識しているが、タッチパッド２１ａ，２１ｂにて接触または近接が検出された場合にその接触または近接による入力操作の種別（スクロール表示するためのものか拡大／縮小表示するためのものか）をタッチパッド２１ａ，２１ｂのそれぞれにて予め設定しておくことも考えられる。
【００４４】
図５は、図２に示した携帯端末の動作の他の例を説明するためのフローチャートである。なお、本例では、タッチパッド２１ａ，２１ｂに対する入力操作を接触によるものとし、タッチパッド２１ａに対する接触による入力操作が、表示ユニット１０に表示している情報をスクロール表示するためのものに設定され、タッチパッド２１ｂに対する接触による入力操作が、表示ユニット１０に表示している情報を拡大／縮小表示するためのものに設定されているものとする。
【００４５】
図２に示した携帯端末にて表示ユニット１０に情報が表示されている状態において（ステップ３１）、位置検出部２３ａ，２３ｂのいずれかがタッチパッド２１ａ，２１ｂに対する接触を検出すると（ステップ３２）、まず、コントロールユニット３０が、接触が検出されたタッチパッドがタッチパッド２１ａ，２１ｂのいずれかであるかを判断する（ステップ３３）。これは、コントロールユニット３０の位置認識部３１が、タッチパッド２１ａ，２１ｂに対する接触の位置を認識することによって行う。すなわち、タッチパッド２１ａ，２１ｂのうち、位置認識部３１において接触の位置が認識された方が、接触が検知されたタッチパッドであると判断されることになる。なお、タッチパッド２１ａ，２１ｂに対する接触操作は、図４に示したように、タッチパッド２１ａに対しては、この筐体４０を把持した手６０の親指６１で接触操作が行われ、タッチパッド２１ｂに対しては、中指６２で接触操作が行われることになる。
【００４６】
接触が検出されたタッチパッドがタッチパッド２１ａである場合、位置認識部３１が、位置検出部２３ａにて検出されたタッチパッド２１ａに対する接触の位置の軌跡を認識する（ステップ３４）。そして、位置認識部３１にて認識された位置の軌跡が、タッチパッド２１ａを上から下へなぞるものである場合は、操作認識部３２が、タッチパッド２１ａに対する接触による入力操作を、表示ユニット１０に表示している情報を順方向にスクロール表示するものと認識し、表示制御部３３の制御によって、表示ユニット１０に表示している情報を順方向にスクロール表示する（ステップ３５）。
【００４７】
また、位置認識部３１にて認識された位置の軌跡が、タッチパッド２１ａを下から上へなぞるものである場合は、操作認識部３２が、タッチパッド２１ａに対する接触による入力操作を、表示ユニット１０に表示している情報を逆方向にスクロール表示するものと認識し、表示制御部３３の制御によって、表示ユニット１０に表示している情報を逆方向にスクロール表示する（ステップ３６）。
【００４８】
また、接触が検出されたタッチパッドがタッチパッド２１ｂである場合、位置認識部３１が、位置検出部２３ａにて検出されたタッチパッド２１ｂに対する接触の位置の軌跡を認識する（ステップ３７）。そして、位置認識部３１にて認識された位置の軌跡が、タッチパッド２１ｂを上から下へなぞるものである場合は、操作認識部３２が、タッチパッド２１ｂに対する接触による入力操作を、表示ユニット１０に表示している情報を拡大表示するものと認識し、表示制御部３３の制御によって、表示ユニット１０に表示している情報を拡大表示する（ステップ３８）。
【００４９】
また、位置認識部３１にて認識された位置の軌跡が、タッチパッド２１ｂを下から上へなぞるものである場合は、操作認識部３２が、タッチパッド２１ｂに対する接触による入力操作を、表示ユニット１０に表示している情報を縮小表示するものと認識し、表示制御部３３の制御によって、表示ユニット１０に表示している情報を縮小表示する（ステップ３９）。
【００５０】
このように、本例においては、コントロールユニット３０が、タッチパッド２１ａ，２１ｂ毎に、接触による入力操作に応じた表示ユニット１０における表示が互いに異なるように制御する。それにより、表示ユニット１０に表示している情報の表示形態が、スクロール可能な形態であって、かつ拡大／縮小可能な形態であっても、タッチパッド２１ａ，２１ｂに対する接触による入力操作が互いに干渉せずに認識されることになる。
【００５１】
図６は、図１に示した情報端末の他の実施の形態となる携帯端末を示す図であり、使用状態を示す。
【００５２】
図６に示すように本形態における携帯端末は、図２に示したものに対してタッチパッド２１ｂが設けられていない点が異なるものである。このように構成された携帯端末は、図６に示すように、この携帯端末を把持した手６０の親指６１でタッチパッド２１ａに対する接触操作が行われ、上述した実施の形態に示したものと同様に、コントロールユニット３０によって表示ユニット１０における表示が制御されることになる。
【００５３】
図７は、図１に示した情報端末の他の実施の形態となる携帯端末を示す図であり、使用状態を示す。
【００５４】
図７に示すように本形態における携帯端末は、図２に示したものに対してタッチパッド２１ａが設けられていない点が異なるものである。このように構成された携帯端末は、図７に示すように、この携帯端末を把持した手６０の中指６２でタッチパッド２１ｂに対する接触操作が行われ、上述した実施の形態に示したものと同様に、コントロールユニット３０によって表示ユニット１０における表示が制御されることになる。
【００５５】
このように、本発明は、携帯端末の筐体４０の側面に少なくとも１つのタッチパッドが設けられていれば、表示ユニット１０に表示している情報をスクロール表示したり、拡大／縮小表示したりするための操作を、携帯端末を把持している片手で行うことができるとともに、タッチパッド２０が指紋等で汚れ、表示ユニット１０に表示された情報が見にくくなってしまったり、意図しないリンクに飛んでしまう等の誤操作が起こったりすることを回避することができる。
【００５６】
なお、本発明の構成要素は、上述したブロック図に示されるような機能として分離されるものに限らず、適宜、機能毎に分離した構成としてもよい。
【００５７】
また、本発明においては、携帯端末内の処理は上述の専用のハードウェアにより実現されるもの以外に、その機能を実現するためのプログラムを携帯端末となるコンピュータにて読取可能な記録媒体に記録し、この記録媒体に記録されたプログラムを携帯端末に読み込ませ、実行するものであっても良い。携帯端末にて読取可能な記録媒体とは、ＩＣカードやメモリカード、あるいは、フロッピーディスク（登録商標）、光磁気ディスク、ＤＶＤ、ＣＤ等の移設可能な記録媒体の他、携帯端末に内蔵されたＨＤＤ等を指す。この記録媒体に記録されたプログラムは、例えば、制御ブロックにて読み込まれ、制御ブロックの制御によって、上述したものと同様の処理が行われる。
【００５８】
また、本発明に用いられる情報端末は、上述したような携帯端末やスマートフォンに限らず、携帯音楽プレーヤーや携帯ゲーム機、タブレットＰＣやノートＰＣ、ＰＤＡ等であってもよい。
【符号の説明】
【００５９】
１    表示部
２    入力検出部
３    制御部
１０    表示ユニット
１１    情報表示部
２０，２１ａ，２１ｂ    タッチパッド
２２，２３ａ，２３ｂ    位置検出部
３０    コントロールユニット
３１    位置認識部
３２    操作認識部
３３    表示制御部
３４    動作制御部
４０    筐体
５０    タッチパネル
６０    手
６１    親指
６２    中指
【図１】
2013228786.tif 000003
【図２】
2013228786.tif 000004
【図３】
2013228786.tif 000005
【図４】
2013228786.tif 000006
【図５】
2013228786.tif 000007
【図６】
2013228786.tif 000008
【図７】
2013228786.tif 000009